(57)【要約】【課題】丸太若しくは角材を木製杭に製作するための杭削り機を提供する。多量の木製杭を使用する工事現場や木製杭を製作する工場で、杭を効率よく削って生産性、使い古した杭の再利用の容易性、利便性を向上するものである。【解決手段】支持台１の上に駆動源としてモーター２を設け、この回転軸に歯車３ａ，３ｂを介して連結される台座４を回転可能に設け、台座４には杭の先端を差し込む杭誘導孔８と刃物取り付けステー７を設けて、これに軸支してある螺旋刃物６を杭１１の周囲に回転させながら杭の先端を削る事が出来るようにした杭削り機。【選択図】図１
0003098441.tif 000002
【実用新案登録請求の範囲】
【請求項１】
支持台上に駆動源としてモーターを設け、この回転軸に歯車を介して連結される台座を回転可能に軸支して設け、杭の先端を差し込む杭誘導孔を設けた台座に、取り付けた刃物取り付けステーに軸支され傾斜させてある螺旋刃物を杭の周囲に回転させ杭の先端を削る事が出来るようにした杭削り機。
【請求項２】
支持台上の駆動源として設けた減速機付きモーターの出力軸に歯車を介して連結した台座の中に木製杭誘導孔を設けた請求項１に記載の杭削り機。
【請求項３】
支持台の正面には、駆動源として設けたモーターの起動ボタンと停止ボタンを設け、木製杭を差し込むために台座に設けた杭誘導孔の開口部を有するようにした事を特徴とする請求項１又は請求項２のいづれかに記載の杭削り機。
【請求項４】
支持台上に駆動源のモーターを設けて、モーターの出力軸に歯車を介して連結してある台座と螺旋刃物を有するようにした刃物取り付けステーを杭誘導孔の周囲に回転させるように取り付け、前記の支持台の四隅の下面には支持台を支えて移動若しくは停止する手段としてキャスターを設けたことを特徴とする請求項１乃至請求項３のいづれか１項に記載の杭削り機。
【考案の詳細な説明】
【０００１】
【考案の属する技術分野】本考案に係る杭削り機は、建設工事現場等の現場への移動や設置が容易であって、土木建築工事用木製杭の製作を機械的に容易に行うことが出来、工事現場で排出される多量の使用済みの木製杭の先端を再加工して、木製杭の再利用を容易に可能にする杭削り機に関するものである。
【０００２】この杭削り機は、支持台上に駆動源としてモーターを設けており、この回転力を台座と台座に設けた刃物取り付けステーに軸支した螺旋刃物に伝達して杭誘導孔に差し込まれる杭を削るために、前記のモーターの出力軸に歯車を介して連結される台座と台座に設けた刃物取り付けステーとを回転可能にして軸支してある。モーターの回転力を歯車と台座を介して螺旋刃物軸に伝達し、刃物取り付けステーに軸支している螺旋刃物を杭の周囲に回転させるようにしたものである。台座には杭の先端を差し込む杭誘導孔を設けてあるから、モーターを起動して、杭を杭誘導孔の開口部に差し込むだけで、台座に取り付けた刃物取り付けステーに軸支し傾斜させてある螺旋刃物により杭先端の周囲を削る事が出来るようにしたものである。
【０００３】
【従来の技術】先行技術において、固定刃を備えた回転体で木製杭の先端を削る技術に関する公開公報は、特開２０００−５９０１号発明の名称の「棒杭の先端切削装置」がある。又木製棒の周囲を丸くする加工技術としては、特開２００１−１７０９０４号発明の名称の「軸棒削り機」がある。軸回転する螺旋刃物を削られる物の回りに回転させて鉛筆を削る技術としては、特開平０６−４８０９４号発明の名称の「鉛筆削り用回転軸部」、特開平０７−１６４７９３号発明の名称の「電気鉛筆削り機」、特開平０７−２２３３９８号発明の名称の「鉛筆削り器」、特開平１０−２１７６９１号発明の名称の「電気鉛筆削り機」等がある。
【０００４】
【考案が解決しようとする課題】本考案は、丸太若しくは角材を木製杭に製作するための杭削り機を提供する。多量の木製杭を使用する工事現場や木製杭を製作する工場で、杭を効率よく削って生産性、使い古した杭の再利用の容易性、杭を削るために所要の現場へ移動して設置し使用する利便性、杭削りの早さを実現する意外性を向上しようとするものである。
【０００５】
【課題を解決するための手段】本考案に係る杭削り機は、上記の課題を解決するため支持台上に駆動源としてモーターを設け、この回転軸に歯車を介して連結される台座を回転可能に軸支して設け、台座には杭の先端を差し込む杭誘導孔と刃物取り付けステーとをそれぞれ設けて、刃物取り付けステーに軸支し傾斜させてある螺旋刃物を杭の周囲に回転させ杭の先端を尖らせながら削る事が出来るようにした杭削り機である。
【０００６】支持台上の駆動源としてモーターを設け、歯車比により減速若しくは加速して台座及び刃物取り付けステーに設けた螺旋刃物が回転される。構成される歯車比により、連結される台座の回転及び螺旋刃物の回転を適宜な速度で回転可能にする。杭削り機の支持台の正面には、モーターの起動ボタンと停止ボタンを設けてある。支持台に軸支してある台座の正面には杭の先端を差し込む杭誘導孔の開口部を設ける。この杭誘導孔の開口部より削るべき木製杭を差し込まれた場合に、杭誘導孔の内側に入れた杭の先端を削り尖らせるために、刃物取り付けステーの螺旋刃物は、傾斜させて台座に設けた刃物取り付けステーの両端部に軸支してある。その回転軸の一端に歯車を設け、その歯車に台座の回転軸に設けた歯車が噛み合っており、起動ボタンを押してモーターを駆動させて台座を回転させると、螺旋刃物を杭の周囲に回転させ、杭の先端を尖らせながら削る事が出来る。
【０００７】請求項１に記載の本考案は、支持台上に駆動源としてモーターを設け、この回転軸に歯車を介して連結される台座を回転可能に軸支して設け、杭の先端を差し込む杭誘導孔を設けた台座に、取り付けた刃物取り付けステーに軸支され傾斜させてある螺旋刃物を杭の周囲に回転させ杭の先端を削る事が出来るようにした杭削り機である。
【０００８】請求項２に記載の本考案の実施態様は、杭削り機において支持台上の駆動源として設けた減速機付きモーターの出力軸に歯車を介して連結した台座の中に木製杭誘導孔を設けたものである。
【０００９】請求項３に記載の本考案の実施態様は、杭削り機支持台の正面には、駆動源として設けたモーターの起動ボタンと停止ボタンを設け、木製杭を差し込むために台座に設けた杭誘導孔の開口部を有するようにしたものである。
【００１０】請求項４に記載の本考案の実施態様は、杭削り機支持台上に駆動源のモーターを設けて、モーターの出力軸に歯車を介して連結してある台座と螺旋刃物を有するようにした刃物取り付けステーを杭誘導孔の周囲に回転させるように取り付け、前記の支持台の四隅の下面には支持台を支えて移動若しくは停止する手段としてキャスターを設けたものである
。
【００１１】
【考案の実施の形態】本考案の技術的思想は、実施例において次に記載のように具体化されている。
【００１２】本考案の実施例は、木製杭を削る機械であるため、そのために十分な馬力を有する駆動源として、減速機付きモーターを設けることが望ましい。この場合にはモーター回転軸に減速機を組み込み、出力軸の出力は歯車比により減速され馬力アップされている。更に螺旋刃物を回転させて木製杭を削るために、軸の一端に設けた歯車と台座の回転軸に設けた歯車が噛み合い、モーターが起動すればその出力軸に連結された台座の回転に伴って、螺旋刃物を適宜な速度で回転させ差し込まれた木製杭を削る事が出来る。
【００１３】駆動用のモーターを起動若しくは停止させるには、杭削り機の正面に起動ボタンと停止ボタンを設けある。
【００１４】支持台に軸支してある台座の正面には、木製杭の先端を差し込む杭誘導孔の開口部を設ける。この杭誘導孔の開口部に削るべき木製杭を差し込まれた場合に、杭誘導孔の内側に差し込まれた杭を回転させる事なく、螺旋刃物により削ることが出来るように杭誘導孔内部に材料の回転を止めるための適宜な凹凸を設けてもよい。
【００１５】杭の先端を削り尖らせる回転刃は、傾斜させて台座に設けた刃物取り付けステーの両端部に軸支してある。その回転軸の一端に歯車を設け、その歯車に台座に設けた歯車が噛み合っており、起動ボタンを押してモーターを駆動させると螺旋刃物の軸を回転させる。この軸の回転により、杭の周囲に螺旋刃物を回転させながら、杭の先端を尖らせる事が出来る。
【００１６】杭削り機は、支持台上に駆動源のモーターを設けて、モーターの出力軸に歯車を介して連結してある台座と螺旋刃物を有するようにした刃物取り付けステーを杭誘導孔の周囲に回転させるように取り付けたものであるが、杭削り機の重量を考えると、それを下から支える前記の支持台の下面に、重い支持台を支えて現場に移動したり若しくは所定の設置場所に停止する手段として、キャスターを設けることになる。
【００１７】
【実施例】添付図面は、本考案の１実施例について図示している。図１は、杭削り機の構造を示す側面図、図２は、モーターと台座の連結構造を示す断面図、図３は、螺旋刃物の前後部を軸支した台座上の刃物取り付けステーを示す断面図、図４は、杭削り機の正面図、図５は、杭削り機で削られた杭の先端部をそれぞれ示すものである。
【００１８】本考案の実施例は、図１，図２，図３，図４に示す通り支持台１上に設けたモーター２と歯車の構成により台座４及び螺旋刃物６を杭１１の周囲に回転して木製杭を削ることを目的にしている機械である。駆動源には、モーターを設け、その出力軸の回転力は工事用の木製杭を削るために十分なる馬力を有することが望ましい。刃物取り付けステー７に軸支してある螺旋刃物６を軸回転させて木製杭を削るために、モーター出力軸に歯車３ａ，３ｂを介して台座４の軸を連結し、台座４と台座に設けた取り付けステー７に回転力を伝達する。このために歯車の構成は、適宜な歯車比にすることが必要である。
【００１９】モーター２を駆動させる起動ボタン９と停止ボタン１０は、杭削り機の正面に設けてあり、起動ボタン９を押すとモーター２が回転を始めて、材料の木材を杭誘導孔の開口部より差し込み杭削り作業が出来るようになり、何かの緊急時及び作業の終了時には停止ボタン１０を押すと回転が停止するようにしてある。
【００２０】図１，図２に示したようにモーター２の出力軸は歯車を介して台座４の回転軸に連結され、台座の前方は支持台１に軸支してある。モーターの回転力は、歯車３ａを介してその台座の回転軸１２の後方歯車３ｂに伝達され、支持台１上に軸支された状態の台座４の軸回転に連れて取り付けステー７も回転し、更に台座４に設けた歯車５ａに螺旋刃物６の回転軸後端の歯車５ｂが噛合して螺旋刃物軸にモーターの回転力を伝達する。図４に示すように杭削り機の正面には、木製杭１１の先端を差し込む杭誘導孔８の開口部１３を設け、台座上に前記の杭誘導孔を位置して設けてあり、その杭誘導孔に削るべき木製杭を差し込み、前記の杭誘導孔の内側にある杭の周囲を螺旋刃物６で削り、下方に削り屑を落下させるようにした。
【００２１】図５に、本発明に係る杭削り機で製作された杭１１の先端部１４を示すように、杭を丸く削り尖らせる。このために、刃物は傾斜させて刃物取り付けステー７に軸支し、回転軸の一端の歯車５ｂに台座に設けた歯車５ａが噛み合っているので、モーター２を駆動させると台座の回転軸１２及び螺旋刃物の軸を回転させ、杭の周囲を削りながら、杭の先端を尖らせる事が出来る。
【００２２】
【考案の効果】本考案の効果は、請求項１乃至請求項４の各項に記載の構成により、次の技術効果を奏するものである。
【００２３】多量の木製杭を使用する工事現場や木製杭を製作する工場で、杭を効率よく削って生産性を向上し、使い古した杭の再利用を促進する事が出来る。
【００２４】杭削り機を杭を削るために所要の現場へ移動して、設置し、杭削り作業をするので利便性を高める事が出来る。
【００２５】使用後の杭を削って使用する場合に、再利用杭削りの早さを実現する効率性、作業の早さと再利用による経費節減、環境影響の問題に寄与する事業評価等の意外性を向上する事が出来る。
【図面の簡単な説明】
【図１】杭削り機の構造を示す側面図
【図２】モーターと台座の連結構造を示す断面図
【図３】螺旋刃物の前後部を軸支した台座上の刃物取り付けステーを示す断面図
【図４】杭削り機の正面図
【図５】杭削り機により削られた杭の先端部を示す
【符号の説明】
１．．．支持台
２．．．減速機付きモーター
３ａ，３ｂ．．．歯車
４．．．台座
５ａ，５ｂ．．．歯車
６．．．螺旋刃物
７．．．刃物取り付けステー
８．．．杭誘導孔
９．．．駆動ボタン
１０．．．停止ボタン
１１．．．木製の杭
１２．．．台座の回転軸
１３．．．杭誘導孔の開口部
１４．．．杭の先端部
【図１】
0003098441.tif 000003
【図２】
0003098441.tif 000004
【図３】
0003098441.tif 000005
【図４】
0003098441.tif 000006
【図５】
0003098441.tif 000007